(57)【要約】【課題】  複数の異なる種類の美容機能を手軽に交換して使用することが可能であって、同時に低コスト化、優れた環境性を実現する美容器及び美容器システムを提供すること。【解決手段】  互いに合体と離脱が可能な少なくとも第１ユニット２０及び第２ユニット１０を含むユニット群から構成される美容器１であって、合体時には略平棒状体を成し、第１ユニット２０には、電源手段と、使用者が把持する把持部と、第２ユニット１０と接続する第１コネクタ部とを備えると共に、第２ユニットには、美容機能を提供する機能別アプリケータ構造体と、第１ユニットと接続する第２コネクタ部とを備える。そして、第２ユニット１０の基体１００を平板状に形成し、基体の一面には該第２コネクタ部を、他面には機能別アプリケータ構造体１１０をそれぞれ配置し、第１ユニット２０には、基体１００の第２コネクタ部側の面と対向して組み合い、合体時に一体的な外観を有するように形成した凹部２０ａを有する。【選択図】図１
2014166304.tif 000002
【特許請求の範囲】
【請求項１】
互いに合体と離脱が可能な少なくとも第１ユニット及び第２ユニットを含むユニット群から構成される美容器であって、
該第１ユニットと該第２ユニットとの合体時には略平棒状体を成し、
該第１ユニットには、少なくとも該第２ユニットに電力を供給する電源手段と、使用者が把持する把持部と、該第２ユニットと接続する第１コネクタ部とを備えると共に、
該第２ユニットには、少なくとも美容機能を提供する機能別アプリケータ構造体と、該第１ユニットと接続する第２コネクタ部とを備える構成において、
該第２ユニットの基体を平板状に形成し、該基体の一面には該第２コネクタ部を、他面には該機能別アプリケータ構造体をそれぞれ配置し、
該第１ユニットには、該基体の該第２コネクタ部側の面と対向して組み合い、合体時に一体的な外観を有するように形成した凹部を有する
ことを特徴とする美容器。
【請求項２】
前記第１ユニットと、前記第２ユニットとにそれぞれ互いに磁着する磁着手段を備え、その磁着力により合体状態を維持するようにした
請求項１に記載の美容器。
【請求項３】
前記第１ユニットと、前記第２ユニットとにそれぞれ互いに係合する係合手段を備え、
該第２ユニットの係合手段を、該第１ユニットの係合手段に係合させた状態で摺動させることにより、該第１ユニットと該第２ユニットとが合体状態となるようにした
請求項１に記載の美容器。
【請求項４】
前記第１ユニットの少なくともいずれか一面に、該第２ユニットの機能に対応する表示を行う表示部を備えた
請求項１ないし３のいずれかに記載の美容器。
【請求項５】
前記第１ユニットの少なくともいずれか一面に、該第２ユニットの機能を操作するタッチセンサ手段を備えた
請求項１ないし４のいずれかに記載の美容器。
【請求項６】
前記第１コネクタ部及び前記第２コネクタ部において、ポゴピン又はポゴパッドにより電気的な導通を行う
請求項１ないし５のいずれかに記載の美容器。
【請求項７】
前記機能別アプリケータ構造体として、イオン導入/導出器、ヒータ、ミスト発生装置、超音波発生装置、バイブレータ、水分計、低周波発生装置、高周波発生装置、レーザ光照射装置、剃毛装置、脱毛装置のいずれか、又はこれらの組み合わせを備えた
請求項１ないし６のいずれかに記載の美容器。
【請求項８】
前記請求項１ないし７のいずれかに記載の美容器と、交換用の前記第２ユニットとを組み合わせた美容器システムであって、
前記第１ユニット及び、第１の種類の美容機能を提供する機能別アプリケータ構造体を少なくとも備えた第２ユニットからなる美容器と、
該第１ユニットと合体と離脱が可能であって、第２の種類の美容機能を提供する機能別アプリケータ構造体を少なくとも備えた第２ユニットとを備え、
１つの第１ユニットに対して、２以上の第２ユニットを交換して合体させることで２種類以上の美容機能を提供できるようにした
ことを特徴とする美容器システム。
【請求項９】
前記請求項８の美容器システムに用いられ、
ある種類の美容機能を提供する機能別アプリケータ構造体を少なくとも備えた
ことを特徴とする第２ユニット。
【発明の詳細な説明】
【技術分野】
【０００１】
本発明は、様々な機能を選択して備えることのできる美容器とそのシステムに関し、特に美容機能を提供するアプリケータ構造体を交換可能にする技術に関する。
【背景技術】
【０００２】
使用者が手で持ちながら顔や頭部、その他の身体部位に美容を行うための美容器が種々提供されている。例えば、マイナスイオンを放出して美容液の浸透効果を高めるイオン導入器（特許文献１参照）、プラスイオンにより汚れ落としの効果を高めるイオン導出器、ヒータ機能、肌面を潤すミスト発生装置（特許文献２参照）、超音波振動によって肌に微細な刺激を与える超音波（ソニック）発生装置（特許文献３参照）、バイブレータ、肌の水分量を測定する水分計、微弱な電流によって筋肉をマッサージする低周波発生装置（特許文献４参照）及び高周波発生装置、レーザ光によって角質やシミ・くすみに作用させたり脱毛を行うレーザ光照射装置（特許文献５参照）、剃毛装置、脱毛装置（特許文献６参照）などが知られている。
【０００３】
さらに、上記の各機能を数種類組み合わせた美容器も製品化されている。例えば、ヤーマン株式会社製「プラチナホワイトソニック HSI-11」は、超音波振動機能と、イオン導出機能、ヒータ機能が装備されている。また、同社製「プラチナソニック  HDS-14」では、超音波振動機能、ＥＭＳ（低周波振動）機能、遠赤外温熱機能が装備されている。
【０００４】
一方、上記のようはハンディタイプの美容器は各機能を有する動作部と、動作部に電力を供給する電源が必要であり、従来の構成では予め製品設計として決められた機能と専用の電源とを一体構成した美容器が提供されてきた。
【０００５】
そのうち、いくつかの美容器では機能的には予定された種類の機能だけを提供するものの、先端形状などをアタッチメントで交換可能にしたものがある。
例えば、特許文献７には、使用部位に合わせて交換できる１個で２役のアタッチメントを装着できる美顔器が開示されている。本文献では肌に当たる略筒状の吸引用のアタッチメントであって、開口面の形状が異なる口部を両端に備えたアタッチメントを提案している。ただし、交換可能なアタッチメントは吸引機能を提供するためのものに限られている。
【０００６】
特許文献８には、マッサージ処置を行うための美顔処置器において、電気的な加熱装置を配設し、処置ヘッドを交換可能に構成している。本文献の技術でも加熱機能については既定されたものであり、他の美容機能を提供するものではない。
さらに本件出願人による特許文献９には１つのプローブで美肌と痩身の両方の処置ができる超音波プローブが開示されている。本文献では大小複数のヘッドを、共通のインターフェースで接続するコネクタを介して交換可能に取り付けることを提案しているが、超音波振動体による振動機能については共通に使用される。
【先行技術文献】
【特許文献】
【０００７】
【特許文献１】特許第４７４４９６８号
【特許文献２】特許第４８８１３０８号
【特許文献３】特許第３６２１２９６号
【特許文献４】特許第４９４９５７２号
【特許文献５】特許第３６５８５３８号
【特許文献６】特許第４３２７４７６号
【特許文献７】特開平１１−１９６９３６号
【特許文献８】特開２００１−６１５５５号
【特許文献９】特開２００１−２６８６８０号
【発明の概要】
【発明が解決しようとする課題】
【０００８】
以上に述べたように、従来の美容器では１つの製品が提供する美容機能は予め決められた機能に限られていた。予め複数の機能を備えたものや、同じ機能の中で提供態様を変化させるためにアタッチメントを交換するものは提案されているが、１つの美容器で機能を随時拡張できるようなシステムは提供されていない。
【０００９】
機能別に別々の美容器として提供されると、備えられた機能が重複したり、美容器の数が多くなって持ち運びや収納に不便である。当然、製造コストや製品価格は機能ごとに１個の美容器の価格となるので、様々な機能を欲する場合にはトータルのコストが高くなる問題もある。
さらに、美容器に備えられる機能は日々新たな方法が提案されており、流行の変化も早い。新しい機能が開発されるたびに美容器全体を買い換え、古い機器を廃棄することは環境面でも好ましくない。
【００１０】
本発明は上記従来技術の有する問題点に鑑みて創出されたものであり、複数の異なる種類の美容機能を手軽に交換して使用することが可能であって、同時に低コスト化、優れた環境性を実現する美容器及び美容器システムを提供することを目的とする。
【課題を解決するための手段】
【００１１】
上記課題を解決するため、本発明は次のような美容器を提供する。
請求項１に記載の発明によれば互いに合体と離脱が可能な少なくとも第１ユニット及び第２ユニットを含むユニット群から構成される美容器であって、第１ユニットと第２ユニットとの合体時には略平棒状体を成し、第１ユニットには、少なくとも第２ユニットに電力を供給する電源手段と、使用者が把持する把持部と、第２ユニットと接続する第１コネクタ部とを備える。一方、第２ユニットには、少なくとも美容機能を提供する機能別アプリケータ構造体と、第１ユニットと接続する第２コネクタ部とを備える。
本構成において、第２ユニットの基体を平板状に形成し、基体の一面には第２コネクタ部を、他面には機能別アプリケータ構造体をそれぞれ配置し、第１ユニットには、基体の第２コネクタ部側の面と対向して組み合い、合体時に一体的な外観を有するように形成した凹部を有することを特徴とする美容器を提供する。
【００１２】
請求項２に記載の発明によれば、上記の第１ユニットと、第２ユニットとにそれぞれ互いに磁着する磁着手段を備え、その磁着力により合体状態を維持するようにすることができる。
【００１３】
請求項３に記載の発明によれば、上記第１ユニットと、第２ユニットとにそれぞれ互いに係合する係合手段を備え、第２ユニットの係合手段を、第１ユニットの係合手段に係合させた状態で摺動させることにより、第１ユニットと第２ユニットとが合体状態となるようにしてもよい。
【００１４】
請求項４に記載の発明によれば上記の第１ユニットの少なくともいずれか一面に、第２ユニットの機能に対応する表示を行う表示部を備えることを特徴とする。
【００１５】
請求項５に記載の発明によれば上記の第１ユニットの少なくともいずれか一面に、第２ユニットの機能を操作するタッチセンサ手段を備えることを特徴とする。
【００１６】
請求項６に記載の発明によれば上記の第１コネクタ部及び第２コネクタ部において、ポゴピン又はポゴパッドにより電気的な導通を行う構成でもよい。
【００１７】
請求項７に記載の発明によれば上記の機能別アプリケータ構造体として、イオン導入/導出器、ヒータ、ミスト発生装置、超音波発生装置、バイブレータ、水分計、低周波発生装置、高周波発生装置、レーザ光照射装置、剃毛装置、脱毛装置のいずれか、又はこれらの組み合わせを備えることを特徴とする。
【００１８】
請求項８に記載の発明によれば上記の請求項１ないし７のいずれかに記載の美容器と、交換用の上記の第２ユニットとを組み合わせた美容器システムであって、第１ユニット及び、第１の種類の美容機能を提供する機能別アプリケータ構造体を少なくとも備えた第２ユニットからなる美容器と、第１ユニットと合体と離脱が可能であって、第２の種類の美容機能を提供する機能別アプリケータ構造体を少なくとも備えた第２ユニットとを備え、１つの第１ユニットに対して、２以上の第２ユニットを交換して合体させることで２種類以上の美容機能を提供できるようにしたことを特徴とする美容器システムを提供する。
【００１９】
請求項９に記載の発明によれば上記の請求項８の美容器システムに用いられ、ある種類の美容機能を提供する機能別アプリケータ構造体を少なくとも備えたことを特徴とする第２ユニットを提供する。
【発明の効果】
【００２０】
本発明は合体と離脱が可能な第１ユニット、第２ユニットを含むユニット群で構成され、第１ユニットに電源手段を備えることで、第２ユニットを交換しても第１ユニットを共通化することができる。
第２ユニットには美容機能を提供する機能別アプリケータ構造体を備えるので、異なる種類の美容機能のユニットに交換して使用することができる。
【００２１】
第１ユニットと第２ユニットとの合体時には略平棒状体を成すようにすることで、化粧品容器などと違和感のない良好な意匠性を有すると共に、使用者が把持しやすい美容器を実現することができる。
また、第１ユニットは収納スペースを要する電源手段や表示部、タッチセンサを配置するのに十分な形状としながら、第１ユニットと第２ユニットとが広い平面で組み合うことで、第１ユニットと第２ユニットの電気的なコネクタや、確実な保持に必要なコネクタ部を配置することができる。
【００２２】
第２ユニットの基体は平板状とするので面体で構成できる機能別アプリケータ構造体は外観の一体性を保つことができ、また、突起状の機能別アプリケータ構造体も支持部分だけを基体に配置することで自在に配置できるメリットがある。
【００２３】
第１ユニットと、第２ユニットとにそれぞれ互いに磁着する磁着手段を備えることにより、簡易な脱着に寄与する。また、第１ユニットと第２ユニットとが互いに摺動して脱着する構成によれば、正確な位置に簡便に脱着することができる。
【００２４】
第１コネクタ部及び第２コネクタ部において、ポゴピン又はポゴパッドにより電気的な導通を行う構成によれば、電源を含む複数の信号線を小さなスペースに配置でき、複雑な信号伝達の構成にも適用可能である。
【００２５】
このように、本発明の第１ユニット、第２ユニットの形状には美容器に求められる意匠性、良好な把持性、多様な機能別アプリケータ構造体への適用性を兼ね備え、従来技術で実現できなかった特段の効果を奏するものである。
【図面の簡単な説明】
【００２６】
【図１】本発明に係る美容器の離脱時の斜視図。
【図２】本発明に係る美容器の合体時の斜視図。
【図３】本発明に係る美容器のコネクタ部の説明図。
【図４】本発明に係る美容器の内部機構を示す斜視図。
【図５】本発明に係る美容器の正面図及び背面図。
【図６】本発明に係る美容器の平面図及び底面図。
【図７】本発明に係る美容器の右側面図及び左側面図。
【図８】本発明の第２の実施形態に係る斜視図。
【発明を実施するための形態】
【００２７】
以下、本発明の実施形態を、図面に示す実施例を基に説明する。なお、実施形態は下記に限定されるものではない。
図１は本発明に係る美容器（１）の斜視図である。本美容器（１）は使用者が片手で保持できる程度の大きさ、すなわち全長１２〜２０ｃｍ程度、幅４〜７ｃｍ程度、厚み１〜４ｃｍ程度に収まる平棒状の形状をなしている。上側に美容機能を提供する機能別アプリケータ構造体である機能ユニット（１０）と、下側に機能ユニット（１０）に電源を供給する電源ユニット（２０）を配置している。
【００２８】
本実施例では、第１ユニットである電源ユニット（２０）と、第２ユニットである機能ユニット（１０）との２つのユニットから構成する例を述べるが、本発明は最低２つのユニットを備えることを特徴とし、さらに第３、第４のユニットから構成してもよい。その場合、少なくとも第１のユニットには電源を供給する電源手段を備えることが必須である。
【００２９】
本実施例における機能ユニット（１０）は、平板状の基体（１００）と、該基体（１００）の表面（１００ａ）に突設されたヘッド部（１１０）とから成り、ヘッド部（１１０）では高速微少振動（超音波振動）により肌面に対する美容を行うものである。
基体（１００）の裏面（１００ｂ）は略平面であり、後述するように電源ユニット（２０）とのコネクタ部を有する。
【００３０】
一方、電源ユニット（２０）は、上側に凹部（２０ａ）を形成し、該凹部（２０ａ）に機能ユニット（１０）の基体（１００）が合体すると全体として平棒状となる。図２は合体時の美容器（１）の斜視図であり、この状態で使用される。
電源ユニット（２０）の下側（２０ｂ）の表面にはボタン（２０１）とタッチセンサ（２０２）が配置されており、各種操作が可能である。例えばボタン（２０１）には電源のオン・オフ機能を、タッチセンサ（２０２）には機能ユニット（１０）の操作を割り当てた複数のボタンを配置することができる。
【００３１】
タッチセンサ（２０２）の最も簡単な構成は公知の静電容量式のタッチセンサ手段を備え、上記ボタンの位置に機能を示す文字や図柄を記載するものである。タッチセンサ手段は６箇所のセンサ部位（２０３）〜（２０８）（図４参照）設けて、最大６個のボタンとして機能する。
【００３２】
別の実施例として、タッチセンサ（２０２）に機能を表示するための表示手段を付設しタッチパネルとすることもできる。周知の小型液晶画面を内装し、表面から機能別にボタンを表示することができる。例えば、超音波振動をさせるための「ソニック」ボタン、ヘッド部（１１０）から発熱する「ヒータ」ボタン、イオンを放出する「イオン」ボタン、バイブレーションを発生させる「バイブ」ボタン、レーザ光による美容を行う「フォト」ボタン、ＥＭＳ（低周波振動）機能を操作する「ＥＭＳ」ボタンなど、文字の画像を表示してタッチ操作ができるようにする。
【００３３】
タッチセンサ（２０２）のボタン表示は、機能ユニット（１０）のメモリに記憶された画像データ及びボタンの割り当てに基づいて行ってもよい。この場合、機能ユニット（１０）が後から開発された場合でも、以前の電源ユニット（２０）において適切な表示と機能の切替が可能となる。
ボタンの表示には液晶画面に限らず、入替式のシートを用いることもできる。この場合、電源ユニット（２０）の内部（２０３）〜（２０８）にＬＥＤ等を備えて、タッチセンサ（２０２）のボタンを照明することもできる。
【００３４】
本美容器（１）では、タッチセンサ（２０２）を用いることで、本発明の特徴の１つである良好な外観性を損なうことなく、様々な機能を使用者に提供することができる。
【００３５】
電源ユニット（２０）の凹部（２０ａ）は機能ユニット（１０）の裏面（１００ｂ）と対向する対向面（２００ａ）、機能ユニット（１０）の下端面（１００ｃ）と対向する下端受面（２００ｂ）とから成る。
図３は、本発明に係る美容器のコネクタ部の説明図である。また、図４には美容器（１）の内部機構を示す斜視図を示す。
【００３６】
機能ユニット（１０）の着脱は、裏面（１００ｂ）のガイド溝（１２１）（１２１）と、対向面（２００ａ）に設けたガイドレール（２１０）（２１０）とを摺動させながら下端面（１００ｃ）のラッチ（１２０）（１２０）（１２０）を下端受面（２００ｂ）の図示しないラッチ受に嵌入する。
機能ユニット（１０）を離脱させる際には、電源ユニット（２０）の側面にあるレバー（２２０）（２２０）を下方に摺動させることでラッチ受の係合が解除される。
【００３７】
以上のように、本実施例では機能ユニット（１０）と、電源ユニット（２０）にはそれぞれ互いに係合する係合手段としてガイド溝（１２１）及びガイドレール（２１０）を備えており、機能ユニット（１０）の係合手段を、電源ユニット（２０）の係合手段に係合させた状態で摺動させることにより、両者が合体状態となるようにした点に特徴を有する。
【００３８】
機能ユニット（１０）と電源ユニット（２０）は電気的な接点である電源コネクタ（１２２）（２１１）と、コンタクトプローブ（１３０）（２３０）によって電気的に接続される。電源コネクタ（１２２）（２１１）では機能ユニット（１０）に供給される電力を、コンタクトプローブ（１３０）（２３０）では、タッチセンサ（２０２）によるボタン操作に基づく信号が通信される。
機能ユニット（１０）にタッチセンサ（２０２）での画像データ及びボタンの割り当てを記憶する場合には、これらの情報もコンタクトプローブ（１３０）（２３０）を通して通信することができる。
【００３９】
電源ユニット（２０）の下端面には充電ポート（２１）を設け、これに電力を供給することで内部の充電池を充電する。本実施例では充電ポート（２１）にはミニＵＳＢ規格のコネクタを採用しているので、商用電源から電源アダプタを介して充電が行える他、パソコンのＵＳＢ端子と接続して充電することも可能である。
【００４０】
電源ユニット（２０）の内部には充電池（図示しない）を備えている。電源ユニット（２０）にはこの他に充電回路を備え、充電ポート（２１）から入力した電力で充電池を充電する。
後述するように、機能ユニット（１０）は様々取り替えて使用する。そのために、電源ユニット（２０）の充電池には想定される機能ユニット（１０）の動作条件を全て満たす電圧、容量を選択する。
【００４１】
本発明の電源ユニット（２０）としては、充電池を用いる構成に限らず、一次電池である乾電池を用いることもできる。商用電源の交流電圧を変換する回路や、電源アダプタからの直流電流を入力した上で、必要に応じて変圧等を行い、機能ユニット（１０）に電力を供給する構成でもよい。太陽電池や手回し発電機などの電源手段を備える構成でもよい。
【００４２】
次に、本発明で実施可能な機能別アプリケータ構造体の例を示す。
まず本実施例の機能ユニット（１０）は上述したように超音波発生装置と、それに加えてバイブレーション機能、ヒータ機能を兼ね備えている。ヘッド部（１１０）は角丸板形であり、内部に振動子を備えることでヘッドの表面が超音波振動し、マッサージ感を与えることができる。同時に、バイブレーションを備えており、体感の乏しい超音波とバイブレーションを組み合わせることでマッサージ感を高めている。
ヘッド部（１１０）が首振りを行って、自由な向きに向かせるようにしてもよい。これにより肌の凹凸に合わせて最適な向きでヘッドが肌に接触するようになる。
【００４３】
別の実施例として、イオン導出・導入機能と、ヒータ機能とを備えた機能ユニットを提供することもできる。
イオン導出・導入やヒータとして作用するアプリケータ構造体の構成は公知であるから、説明を省略するが、機能ユニット（１０）にイオン導出・導入の電極を備える。電極は機能ユニット（１０）の基体（１００）から任意の形状で突設してもよいし、基体（１００）の表面に設けてもよい。基体表面に設ける場合、本美容器（１）の外形形状の特徴である異なる曲率の角部（１００ｄ）（１００ｅ）（図３（ａ）参照）を利用し、２種類の電極を設けることもできる。
イオン導入の使用時には、皮膚内部にイオン導入するための水溶性の有効成分としての化粧水や美容液を含浸させたシートをヘッド部に装着して使用する。
【００４４】
本発明の機能ユニットとしては、上記例示の他に、ミスト機能、肌水分計、低周波発生装置、高周波発生装置、レーザ光照射装置、剃毛装置、脱毛装置など、公知の美容機能を実装することができる。各機能は、単機能で搭載してもよいし、任意に組み合わせて備えてもよい。
また、１つの機能ユニットに対して、異なる形状のヘッドを取り替えて装着できるようにしてもよい。
【００４５】
図５（ａ）には美容器（１）の正面図、（ｂ）には背面図、図６（ａ）には平面図、（ｃ）には底面図、図７（ａ）には右側面図、（ｂ）には左側面図をそれぞれ示す。
図示されるように美容器（１）のヘッド（１１０）は、正面視左上の角は大きな曲率、右上の角は小さな曲率としている。また、外周は厚み方向に丸みを帯びたデザインとして把持のしやすさと意匠性の向上に寄与している。
美容器（１）は、化粧品などと共に置かれることが多いため、それらと調和するデザインが重要であり、本発明の形状はヘッド部を交換できる機能性と意匠性を両立させた点でも、従来の美容器にない効果を有するものである。
【００４６】
本発明は、１個の機能ユニット（１０）と１個の電源ユニット（２０）との組み合わせに限らず、複数個の機能ユニット（１０）を交換しながら電源ユニット（２０）と合体させて使用する美容器システムとして提供することもできる。
例えば、超音波、バイブレーション及びヒータ機能を有する機能ユニットと、イオン導出・導入及びヒータ機能を有する機能ユニット、バイブレーション及びヒータ機能を有する機能ユニットを１個の電源ユニットに交換して使用する美容器システムである。
従来の美容器と異なり、電源ユニットが共通化されているので機能の追加を低コストで行うことができ、複数の種類の美容のための装置を容易に持ち運べるようになる。
【００４７】
図８は、本発明の第２の実施形態に係る斜視図である。図８（ａ）には背面側から内部機構を示すために美容器（３）を分解した斜視説明図、図８（ｂ）には正面側からの斜視図を示す。
上記実施例と同様に、本美容器（３）は、第１ユニットである電源ユニット（３１）と、第２ユニットである機能ユニット（３０）との２つのユニットから構成される。
【００４８】
機能ユニット（３０）は、平板状の基体（３００）と、該基体（３００）の表面（３００ａ）に突設されたヘッド部（３１０）とから成る。本実施例におけるヘッド部（３１０）は美肌装置であって、皮膚に発光ダイオードランプ（３１１）から、１つ又は複数の異なる波長領域の光を照射することができ、対象となるビタミン又はプロビタミンに対して効果的に皮膚浸透促進作用を得ることができる。さらに、色彩が皮膚に及ぼすクロモセラピー効果による皮膚のトリートメントを行うことができる。このとき、その複数の異なる波長領域の光のパターンを選択的に切り替えることによって目的の効果を得るために最適な光の照射を行うことができる。
【００４９】
基体（３００）の裏面（３００ｂ）は略平面であり、本実施例の特徴である磁着部（３２）（３２）と、端子部（３３）とを備えている。
磁着部（３２）は、例えば鉄製のプレート体を貼設して構成され、電源ユニット（３１）の内部に配設された磁石（３４）（３４）と対向する。本構成により、機能ユニット（３０）を電源ユニット（３１）に近づけると、所定位置にて磁着することで合体状態を維持する。
【００５０】
本発明において磁着手段の構成は上記に限定されず、磁石とプレート体の関係は逆でも良いし、両方磁石であってもよい。また、磁石は、ネオジウムなど強力な磁性体を用いてもよい。
また、ここで設けた磁石を用いて、本美容器（３）に磁気治療器としての機能を持たせることもできる。
【００５１】
基体（３００）の端子部（３３）は、電源ユニット（３１）のコネクタ部（３５）と対応し、上記磁着に伴って電気的な接点が接触し、導通可能となる。
本発明において、端子部（３３）及びコネクタ部（３５）はポゴピンやポゴパッドにより提供することもできる。
【００５２】
両ユニット（３０）（３１）の磁着態様についてさらに詳述すると、基体（３００）の裏面（３００ｂ）の周縁部には、背面側に凸となる段差部（３００ｃ）が形成されている。一方、この段差部（３００ｃ）に対応して、電源ユニット（３１）の対向面（３１０ａ）に正面側に凹となる段差部（３１０ｂ）が形成されている。
【００５３】
また、端子部（３３）とコネクタ部（３５）もそれぞれ対応する凹凸形状をなすので、両ユニット（３０）（３１）の磁着時にはこれらの凹凸が嵌合し、横方向にズレを生じないように作用する。
肌面に対して平行方向の動きで使用することの多い美容器（３）において、以上の構成によれば使用時には容易に脱落しにくく、交換時には簡便に脱着可能な構成を提供することができる。
【００５４】
図９は、本発明の第３の実施形態に係る斜視図である。本実施例も同様に、美容器（４）は、第１ユニットである電源ユニット（４１）と、第２ユニットである機能ユニット（４０）との２つのユニットから構成される。
【００５５】
機能ユニット（４０）は、平板状の基体（４００）と、該基体（３００）の表面（３００ａ）に突設されたヘッド部（３１０）とから成る。本実施例におけるヘッド部（３１０）は美肌装置であって、皮膚に発光ダイオードランプ（３１１）から、１つ又は複数の異なる波長領域の光を照射することができ、対象となるビタミン又はプロビタミンに対して効果的に皮膚浸透促進作用を得ることができる。さらに、色彩が皮膚に及ぼすクロモセラピー効果による皮膚のトリートメントを行うことができる。このとき、その複数の異なる波長領域の光のパターンを選択的に切り替えることによって目的の効果を得るために最適な光の照射を行うことができる。
【００５６】
基体（３００）の裏面（３００ｂ）は略平面であり、本実施例の特徴である磁着部（３２）（３２）と、端子部（３３）とを備えている。
磁着部（３２）は、例えば鉄製のプレート体を貼設して構成され、電源ユニット（３１）の内部に配設された磁石（３４）（３４）と対向する。本構成により、機能ユニット（３０）を電源ユニット（３１）に近づけると、所定位置にて磁着することで合体状態を維持する。
【００５７】
本発明において磁着手段の構成は上記に限定されず、磁石とプレート体の関係は逆でも良いし、両方磁石であってもよい。また、磁石は、ネオジウムなど強力な磁性体を用いてもよい。
また、ここで設けた磁石を用いて、本美容器（３）に磁気治療器としての機能を持たせることもできる。
【００５８】
基体（３００）の端子部（３３）は、電源ユニット（３１）のコネクタ部（３５）と対応し、上記磁着に伴って電気的な接点が接触し、導通可能となる。
本発明において、端子部（３３）及びコネクタ部（３５）はポゴピンやポゴパッドにより提供することもできる。
【００５９】
両ユニット（３０）（３１）の磁着態様についてさらに詳述すると、基体（３００）の裏面（３００ｂ）の周縁部には、背面側に凸となる段差部（３００ｃ）が形成されている。一方、この段差部（３００ｃ）に対応して、電源ユニット（３１）の対向面（３１０ａ）に正面側に凹となる段差部（３１０ｂ）が形成されている。
【００６０】
また、端子部（３３）とコネクタ部（３５）もそれぞれ対応する凹凸形状をなすので、両ユニット（３０）（３１）の磁着時にはこれらの凹凸が嵌合し、横方向にズレを生じないように作用する。
肌面に対して平行方向の動きで使用することの多い美容器（３）において、以上の構成によれば使用時には容易に脱落しにくく、交換時には簡便に脱着可能な構成を提供することができる。
【符号の説明】
【００６１】
１    美容器
１０  機能ユニット
１００  基体
１００ａ  表面
１００ｂ  裏面
１００ｃ  下端面
１１０  ヘッド部
１２０  ラッチ
１２１  ガイド溝
１２２  電源コネクタ
２０  電源ユニット
２０ａ  凹部
２０ｂ  電源部下側
２００ａ  対向面
２００ｂ  下端受面
２０１  ボタン
２０２  タッチセンサ
２１１  電源コネクタ
２３０  コンタクトプローブ
２１  充電ポート
【図１】
2014166304.tif 000003
【図２】
2014166304.tif 000004
【図３】
2014166304.tif 000005
【図４】
2014166304.tif 000006
【図５】
2014166304.tif 000007
【図６】
2014166304.tif 000008
【図７】
2014166304.tif 000009
【図８】
2014166304.tif 000010